(57)【特許請求の範囲】
【請求項１】
液状インキを内部に収納した一方を開口端とする本体（６）の前記開口端には、弁座（１０）と弁パッキン（９）と弁棒（１２）と後端スプリング（１１）とからなり、弁座（１０）の内部には弁棒（１２）が後端スプリング（１１）の弾発力により弾発支持されており、弁棒（１２）の傘（１３）と弁パッキン（９）の端部は気密当接されてなる弁部（８）を設け、更に上方よりホルダー（７）を前記開口端に螺子係合し弁座（１０）の鍔と弁パッキン（９）の鍔を圧着させ気密保持し、前記ホルダー（７）の内部には弁棒（１２）上部と当接するペン芯部（１）を設けた筆記具において、ホルダー（７）内部に設けた係止リブ（１４）にて先端スプリング（１５）の一方を保持し、他方をペン芯部（１）に保持させ常にペン芯部（１）を弁部（８）方向に押圧していることを特徴とする筆記具。
【発明の詳細な説明】
【０００１】
【産業上の利用分野】
本発明は、本体内部に液状インキを保持し、弁機構によりインキをペン芯に伝達するペン芯プッシュ式筆記具の先端部に関するものである。
【０００２】
【従来の技術】
従来からこの種の筆記具の出願は多々存在し、弁機構もある。
これらの出願には、（１）実開昭６０−１６１４７３号（以下、（イ）とする。）、（２）実開昭６１−９８８号（以下、（ロ）とする。）、（３）実公昭６２−３２５８号（以下、（ハ）とする。）がある。
（イ）は、第１図より２重スプリング構成であり、後端のスプリングは、弁を押圧しており、先端のスプリングはボールを前方へ弾発して流通孔を開閉自在に閉塞している。したがって、ペン芯がなくボールペンタイプであり、副貯液室を狭圧部とし拡縮自在にした構成で本願とは構成・効果もことなる。
【０００３】
（ロ）も２重スプリングであり本体内に液状インキを保持している。しかし、先端スプリングはペン芯を押圧した時に圧縮される。したがって、本願が目的としているインキ攪拌時のペン芯飛び出しを防止できない。また、そのためにペン芯を下向きに押圧するものでもなく、本願と構成・目的・効果を明白にことにしている。
（ハ）は、２重スプリングではあり、レフィールの下端に設けられたスプリングによって前記レフィールを上方に持ち上げあるが、ノック式ボールペンであり、液状インキを本体に収納していない。したがって、本願とは構成・目的を明白に異にしている。
【０００４】
【発明が解決しようとする課題】
従来の技術は、以上のごとく、液状インキを本体に収納しており、弁構成であり、ペン芯プッシュ方式の筆記具は、インキの攪拌のために筆記具を振るので、キャップを装着しているときはキャップに当たりペン芯を傷つけてしまう。また、キャップを装着せずに筆記具を振るとペン芯を飛ばしてしまい傷つけたり紛失したりする。
したがって、液状インキを攪拌するために筆記具を振ってもペン芯が飛び出さない筆記具を提供することを目的とする。
【０００５】
【課題を解決するための手段】
液状インキを内部に収納した一方を開口端とする本体（６）の前記開口端には、弁座（１０）と弁パッキン（９）と弁棒（１２）と後端スプリング（１１）とからなり、弁座（１０）の内部には弁棒（１２）が後端スプリング（１１）の弾発力により弾発支持されており、弁棒（１２）の傘（１３）と弁パッキン（９）の端部は気密当接されてなる弁部（８）を設け、更に上方よりホルダー（７）を前記開口端に螺子係合し弁座（１０）の鍔と弁パッキン（９）の鍔を圧着させ気密保持し、前記ホルダー（７）の内部には弁棒（１２）上部と当接するペン芯部（１）を設けた筆記具において、ホルダー（７）内部に設けた係止リブ（１４）にて先端スプリング（１５）の一方を保持し、他方をペン芯部（１）に保持させ常にペン芯部（１）を弁部（８）方向に押圧していることを特徴とする筆記具。
【０００６】
【作用】
本願の筆記具のペン芯部１は先端スプリング１５により後方に押圧している。前記先端スプリング１５の一方端は、ペン芯ホルダー４の係止鍔５に当接しており、他方端は、係止リブ１４に当接している。
こうして、ペン芯部１を弁部８の上端面に押圧当接しており、液状インキを収納する筆記具を攪拌するために振ったりしても常に固定されている。
後端スプリング１１と先端スプリング１５の押圧力の差は、先端スプリング１５は微細な押圧力であるので、後端スプリング１１を押圧し弁部８を開くことはない。
【０００７】
【実施例】
本発明の実施例を図１、図２より詳細に説明する。
１は、ペン芯部であり、図１からはペン先２、中継芯３を連結保持するペン芯ホルダー４から成るものである。
特に、ペン芯ホルダー４には、係止鍔５が設けられている。
ペン芯部１はホルダー７内を上下に摺動可能にしており、ペン芯部１をプッシュして弁を開閉自在にしている。
６は、一方を開口端とする本体であり、開口端には螺子が設けられており、ホルダー７を螺子嵌合している。また、本体開口端には弁部８を気密保持可能に嵌着させている。前記弁部８は、弁座１０と弁パッキン９、弁棒１２、後端スプリング１１から成っている。弁座１０の鍔と弁パッキン９の鍔を本体６の開口端とホルダー７の螺子嵌合により挟着させ気密保持している。
弁座１０の内部には、弁棒１２が後端スプリング１１の弾発力により弾発支持されている。弁棒１２の傘１３と弁パッキン９の端部は、気密当接されている。ホルダー７の内部には、先端スプリング１５とペン芯部１の一部先端のみを露呈して前記ペン芯部１を収納している。
【０００８】
更に、ホルダー７の内部には係止リブ１４を設け、前記係止リブ１４に先端スプリング１５の一方端を当接させ、他方端を前記ペン芯部１の係止鍔５に当接させてペン芯部１を弁部８側に押圧（下方に押圧）している。
図１には、他に吸蔵体１６をホルダー７の内部に収納し、中継芯３の周囲に配設されている。
また、図２よりペン芯部１をアクリル繊維、ポリエステル繊維等の繊維芯であれば、削りだしにより係止鍔５Ａを設け先端スプリング１５を当接保持しペン芯部１を押圧（下方に押圧）している。
また、係止リブ１４を別部材、例えばリング部材としても本願の発明とするところである。
【０００９】
本願筆記具の先端部の使用方法は、ペン芯部１は先端スプリング１５により後方に押圧している。
前記先端スプリング１５の一方端は、ペン芯ホルダー４の係止鍔５に当接しており、他方端は、係止リブ１４に当接している。
こうして、ペン芯部１を弁棒１２の上端面に押圧当接しており、液状インキを収納する筆記具を攪拌するために振ったりしても常に固定されている。
後端スプリング１１と先端スプリング１５の押圧力の差は、先端スプリング１５は微細な押圧力であるので、後端スプリング１１を押圧し弁部８の傘１３と弁パッキン９の下端と当接気密しており開くことはない。
【００１０】
【効果】
以上の様な構成であるので、液状インキを収納する筆記具を攪拌するために振ったりしてもペン芯部１の飛び出しがなく、キャップを装着していてもキャップにあたってペン先２及びペン芯部１を傷つけることはない。
【図面の簡単な説明】
【図１】        本発明の実施例の断面図
【図２】        本発明の実施例の繊維芯使用の断面図
【図３】        本発明の実施例の繊維芯正面図
【符号の説明】
１        ペン芯部
２        ペン芯
３        中継芯
４        ペン芯ホルダー
５        係止鍔
６        本体
７        ホルダー
８        弁部
９        弁パッキン
１０        弁座
１１        後端スプリング
１２        弁棒
１３        傘
１４        係止リブ
１５        先端スプリング
１６        吸蔵体
【図１】
0003679193.tif 000002
【図２】
0003679193.tif 000003
【図３】
0003679193.tif 000004